(57)【特許請求の範囲】
【請求項１】
フェーディングにより時間と共に変化する信号を送信チャンネルを通して受信し、処理のために前記信号をディジタル・サンプルに変換するための受信装置（１６）を有するドップラ拡散評価器であって、
前記受信装置（１６）に付随して動作する第１処理装置（３０）であって、前記ディジタル・サンプルのスペクトル密度を評価するのに適合した第１処理装置（３０）と、
前記第１処理装置に結合されて動作する第２処理装置（３２）であって、実際のドップラ拡散の評価として前記ドップラ拡散値の１つを選定するために複数個のドップラ拡散値の仮定に対応する関数と前記スペクトル密度の評価とを相関させるのに適合した第２処理装置（３２）と、
を備えることを特徴とするドップラ拡散評価器。
【請求項２】
請求項１記載のドップラ拡散評価器において、前記受信装置（１６）がコード分割多重アクセス（ＣＤＭＡ）信号を受け取るのに適合しているドップラ拡散評価器。
【請求項３】
請求項２記載のドップラ拡散評価器において、チャンネル係数が前記ＣＤＭＡ信号から直接に得られるドップラ拡散評価器。
【請求項４】
請求項１記載のドップラ拡散評価器において、前記受信装置（１６）が既知のＣＤＭＡ拡散コードを備えたパイロット記号拡散を有する信号を受信するのに適合しているドップラ拡散評価器。
【請求項５】
請求項１記載のドップラ拡散評価器において、前記受信装置に付随して動作しおよび前記ディジタル・サンプルのスペクトル密度を評価する前に前記ディジタル・サンプルを定常化するのに適合した第３処理装置（２６、２８）をさらに有するドップラ拡散評価器。
【請求項６】
請求項５記載のドップラ拡散評価器において、前記受信された信号が送信された記号のシーケンスを表しおよび前記第３処理装置（２６、２８）が前記ディジタル・サンプルと前記送信された記号の複素共役とを混合するのに適合した乗算器（２６）を有するドップラ拡散評価器。
【請求項７】
請求項６記載のドップラ拡散評価器において、前記送信された記号の複素共役が記号評価器（２４′）から得られるドップラ拡散評価器。
【請求項８】
請求項５記載のドップラ拡散評価器において、前記第３処理装置（２６、２８）が低域フィルタ（２８）をさらに有するドップラ拡散評価器。
【請求項９】
請求項１記載のドップラ拡散評価器において、前記第１処理装置（３０）がスペクトル成分を表すベクトル・データを作り出すドップラ拡散評価器。
【請求項１０】
請求項１記載のドップラ拡散評価器において、前記第２処理装置（３２）が多重チャンネル相関器（３２）を有するドップラ拡散評価器。
【請求項１１】
請求項１０記載のドップラ拡散評価器において、前記相関器（３２）が評価されたスペクトル密度と複数個のドップラ拡散値の仮定に対応する重み関数との間の相関を計算するのに適合したドップラ拡散評価器。
【請求項１２】
請求項１１記載のドップラ拡散評価器において、前記第２処理装置（３２）が最高の相関値を生ずる仮定を選定するのに適合した選択器を有するドップラ拡散評価器。
【請求項１３】
フェーディングにより時間と共に変化する信号を送信チャンネルを通して受信し、処理のために前記信号をディジタル・サンプルに変換するのに適合した受信器（１６）を有する受信装置ドップラ拡散評価器であって、
前記受信器（１６）に付随して動作する評価器（３０）であって、前記ディジタル・サンプルのスペクトル密度を評価するのに適合した評価器（３０）と、
前記評価器（３０）に結合されて動作する相関器（３２）であって、実際のドップラ拡散の評価として前記ドップラ拡散値の１つを選定するために複数個のドップラ拡散値の仮定に対応する関数と前記スペクトル密度の評価とを相関させるのに適合した相関器（３２）と、
を備えることを特徴とするドップラ評価器。
【請求項１４】
請求項１３記載の受信装置ドップラ拡散評価器において、前記受信器（１６）がコード分割多重アクセス（ＣＤＭＡ）信号を受け取るのに適合している受信装置ドップラ拡散評価器。
【請求項１５】
請求項１４記載のドップラ拡散評価器において、チャンネル係数が前記ＣＤＭＡ信号から直接に得られるドップラ拡散評価器。
【請求項１６】
請求項１３記載の受信装置ドップラ拡散評価器において、前記受信器が既知のＣＤＭＡ拡散コードを備えたパイロット記号拡散を有する信号を受信するのに適合している受信装置ドップラ拡散評価器。
【請求項１７】
請求項１３記載のドップラ拡散評価器において、前記受信器（１６）および評価器（３０）に付随して動作しおよび前記ディジタル・サンプルのスペクトル密度を評価する前に前記ディジタル・サンプルを定常化するのに適合した定常化器（２６、２８）をさらに有するドップラ拡散評価器。
【請求項１８】
請求項１７記載の受信装置ドップラ拡散評価器において、前記受信された信号が送信された記号のシーケンスを表しおよび前記定常化器（２６、２８）が前記ディジタル・サンプルと前記送信された記号の複素共役とを混合するのに適合した乗算器（２６）を有する受信装置ドップラ拡散評価器。
【請求項１９】
請求項１８記載の受信装置ドップラ拡散評価器において、送信された記号の前記複素共役が記号評価器から得られる受信装置ドップラ拡散評価器。
【請求項２０】
請求項１８記載の受信装置ドップラ拡散評価器において、前記定常化器（２６、２８）が低域フィルタ（２８）をさらに有する受信装置ドップラ拡散評価器。
【請求項２１】
請求項１３記載の受信装置ドップラ拡散評価器において、前記評価器（３０）がスペクトル成分を表すベクトル・データを作り出すのに適合した受信装置ドップラ拡散評価器。
【請求項２２】
請求項１３記載の受信装置ドップラ拡散評価器において、前記相関器（３２）が多重チャンネル相関器（３２）を有する受信装置ドップラ拡散評価器。
【請求項２３】
請求項２２記載の受信装置ドップラ拡散評価器において、前記相関器（３２）が評価されたスペクトル密度と複数個のドップラ拡散値の仮定に対応する重み関数との間の相関を計算するのに適合した受信装置ドップラ拡散評価器。
【請求項２４】
請求項２３記載の受信装置ドップラ拡散評価器において、前記相関器が最高の相関値を生ずる仮定を選定するのに適合した選択器を有する受信装置ドップラ拡散評価器。
【請求項２５】
フェーディングにより時間と共に変化する信号を送信チャンネルを通して受信し、処理のために前記信号をディジタル・サンプルに変換する段階と、
前記ディジタル・サンプルのスペクトル密度を評価する段階と、
実際のドップラ拡散の評価として前記ドップラ拡散値の１つを選定するために複数個のドップラ拡散値の仮定に対応する関数と前記スペクトル密度の評価とを相関させる段階と、
を有する、受信された信号のドップラ拡散を評価する方法。
【請求項２６】
請求項２５記載の方法において、前記受信する段階がコード分割多重アクセス信号を受信する方法。
【請求項２７】
請求項２６記載の方法において、チャンネル係数が前記ＣＤＭＡ信号から直接に得られる方法。
【請求項２８】
請求項２５記載の方法において、前記受信段階が既知のＣＤＭＡ拡散コードを備えたパイロット記号拡散を有する方法。
【請求項２９】
請求項２５記載の方法において、前記ディジタル・サンプルのスペクトル密度を評価する前に前記ディジタル・サンプルを定常化する段階をさらに有する方法。
【請求項３０】
請求項２５記載の方法において、前記受信された信号が送信された記号のシーケンスを表しおよび前記定常化段階が前記ディジタル・サンプルと前記送信された記号の複素共役とを乗算する段階を有する方法。
【請求項３１】
請求項３０記載の方法において、送信された記号の前記複素共役が記号評価器から得られる方法。
【請求項３２】
請求項３０記載の方法において、前記定常化段階が前記混合された信号に低域フィルタ作用を行う段階を有する方法。
【請求項３３】
請求項２５記載の方法において、前記評価段階がスペクトル成分を表すベクトル・データを作り出す方法。
【請求項３４】
請求項２５記載の方法において、前記相関段階が多重チャンネル相関器を用いる段階を有する方法。
【請求項３５】
請求項３４記載の方法において、前記相関段階が評価されたスペクトル密度と複数個のドップラ拡散値の仮定に対応する重み関数との間の相関を計算する方法。
【請求項３６】
請求項３５記載の方法において、前記相関を行う段階が最高の相関値を生ずる仮定を選定する段階を有する方法。
【発明の詳細な説明】
【０００１】
（技術分野）
本発明は無線通信システムに関する。さらに詳細に言えば、本発明は無線通信システムにおけるドップラ拡散評価のための方法と装置に関する。
【０００２】
（本発明の背景）
無線移動通信システムでは、送信チャンネルは時間と共に変化することができる。これは、送信器および／または受信器が移動するためである。送信チャンネルの変化は、ドップラ・スペクトルによって特徴付けられる。ドップラ・スペクトルは、チャンネルの時間インパルス応答の自動相関関数のフーリエ変換である。W.C.ヤークス、Jr.（W.C.Jakes,Jr.）著の「マイクロウエーブ移動通信（Microwave Mobile Communications）」、ニューヨーク、ウイリ（New York;Wiley）、１９７４年出版、ＩＥＥＥプレス（IEEE Press）、１９９４年、およびテオドール  Ｓ．ラッパポート（Theodore S. Rappaport）著の「無線通信（Wireless Communication）」、プレンティス・ホールＰＴＲ（Prentice Hall PTR）、１９９６年では、ドップラ・スペクトルの幅はドップラ拡散と呼ばれている。このドップラ拡散は、チャンネル変化速度またはフェーディング速度の尺度として用いられるのが通常である。
【０００３】
ドップラ拡散を評価することが望ましいことが多い。例えば、受信器の中のコヒーレント検出器を適切に最適化するために、適合アルゴリズムのパラメータは評価されたドップラ拡散の関数であるように作成される。また、セルラ移動電話システムでは、もしドップラ拡散の評価を利用することが可能であるならば、ハンドオフ工程を増強することができる。このことは、マイクロセルに対して高速移動するユーザのハンドオフを回避する。
【０００４】
米国特許第４，７２３，３０３号および米国特許第５，０１６，０１７号は、ドップラ拡散の利用を考察している。これらの両方の特許は、受信された信号それ自身からドップラ拡散を評価することを説明している。けれどもこれらの方法では、定常的でない受信信号の場合に良好な評価を与えることはできないであろう。ラース・リンドボム（Lars Lindbom）名の技術免許学位論文「フェーディング移動無線チャンネルに対する適合等化（Adaptive Equalization for Fading Mobile Radio Channels）」、第ＵＰＴＥＣ  ９２１２４Ｒ号、１９９２年１１月、ウプサラ大学工学部（Department of Technology, Uppsala University）、ウプサラ（Uppsala）、スエーデン（Sweden）は、チャンネル評価のシーケンスからドップラ拡散を評価する方法を開示している。この方法は、２つの時点の間の値の差で構成されるチャンネル評価の差分を用いる。けれども、この差分それ自身は全体的に非常に雑音的であり、そして平均化することが必要である。その結果、この平均はドップラ拡散のバイアスされた評価を与える。
【０００５】
また別の提案は、最終的なドップラ拡散評価により制御された適合フィルタによってドップラ評価を改良する。けれども、このことを実行するには受信器の複雑さが大幅に増大することを伴い、一方、その評価はバイアスされたままである。欧州特許出願第ＥＰ  ０  ８２２  ６６８  Ａ２号はまた、フェーディングによるドップラ周波数を予測するための一部分を有する受信装置に対する提案を開示している。
【０００６】
本発明は、前記で説明した１個または多数個の問題点を新規で単純な方法で解決することを目指している。
【０００７】
（発明の要約）
本発明に従い、定常でない受信信号を定常化することを用いた受信器ドップラ拡散評価器が得られる。
【０００８】
全体的に言えば、本発明の１つの特徴に従い、フェーディングによりおよび処理のために信号をディジタル・サンプルに変換することにより、時間的に変化する信号を送信チャンネルを通して受信するための受信装置を有するドップラ拡散評価器が開示される。第１処理装置は、ディジタル・サンプルを定常化するための受信装置に付随して動作する。第２処理装置は、定常化されたディジタル・サンプルのスペクトル密度を評価するために、第１処理装置に付随して動作する。第３処理装置は、実際のドップラ拡散の評価としてドップラ拡散値の１つを選定するために、複数個のドップラ拡散値の仮定に対応する関数でもってスペクトル密度を評価するために、第２処理装置に付随して動作する。
【０００９】
本発明の１つの特徴は、受信装置がコード分割多重アクセス（ＣＤＭＡ）信号を受け取るのに適合していることである。
【００１０】
本発明のまた別の特徴は、チャンネル係数がＣＤＭＡ信号から直接に得られることである。
【００１１】
本発明のまた別の特徴は、受信装置が既知のＣＤＭＡ拡散コードを備えたパイロット記号拡散を有する信号を受け取るのに適合していることである。
【００１２】
本発明のまた別の特徴は、受信された信号が送信された記号のシーケンスを表し、および第１処理装置がディジタル・サンプルと送信された記号の複素共役とを混合するためのミクサを有することである。送信された記号の複素共役は、チャンネル評価器から得られる。
【００１３】
本発明のまた別の特徴は、第１処理装置が低域フィルタを有することである。
【００１４】
本発明のまた別の特徴は、第２処理装置がスペクトル成分を表すベクトル・データを作り出すことである。
【００１５】
本発明のさらに別の特徴は、第３処理装置は多重チャンネル相関器を有することである。この相関器は、評価されたスペクトル密度と複数個のドップラ拡散値の仮定に対応する重み関数との間の相関を計算する。この第３処理装置は、最高の相関値を生ずる仮定を選定するための選択器を有する。
【００１６】
本発明のまた別の特徴に従い、受信装置ドップラ拡散評価器が開示される。この受信装置ドップラ拡散評価器は、フェーディングによりおよび処理のために信号をディジタル・サンプルに変換することにより、時間と共に変化する信号を送信チャンネルを通して受信する受信器を有する。受信器に付随して動作する定常化器は、ディジタル・サンプルを定常化する。評価器は定常化器に付随して動作し、それにより定常化されたディジタル・サンプルのスペクトル密度が評価される。相関器は評価器に結合されて動作し、それにより実際のドップラ拡散の評価としてドップラ拡散値の１つを選定するために、複数個のドップラ拡散値に対応する関数とスペクトル密度評価とを相関させる。
【００１７】
本発明のさらに別の特徴に従い、フェーディングにより時間と共に変化する信号を送信チャンネルを通して受信する段階と、処理のために信号をディジタル・サンプルに変換する段階と、ディジタル・サンプルを定常化する段階と、定常化されたディジタル・サンプルのスペクトル密度を評価する段階と、実際のドップラ拡散の評価としてドップラ拡散値の１つを選定するために複数個のドップラ拡散値に対応する関数とスペクトル密度評価とを相関させる段階とを有する、受信された信号のドップラ拡散を評価する方法が開示される。
【００１８】
さらに詳細に言えば、本発明は無線通信システムにおけるドップラ拡散評価のために方法と装置に関する。ドップラ拡散情報を用いて、通信システムの特性を最適化することができる。応用としては、コヒーレント検出器が好ましい検出器の種類である基地局受信器と移動局受信器との両方が含まれる
【００１９】
本発明のこの他の特徴および利点は、本明細書および添付図面から容易に分かるであろう。
【００２０】
（発明の詳細な説明）
図１は、本発明に従う受信装置１０を示した図である。受信装置１０は既知のパイロット記号と一緒に用いられるのに適合している。受信装置１０は、１４で表されている無線信号を受け取るためのアンテナ１２を有する。アンテナ１２は、無線受信器および変換器１６に結合される。無線受信器および変換器１６は増幅された信号にフィルタ作用を行い、そして処理のために、フィルタ作用が行われたこれらの信号を複素数値サンプル値のような適切な形式に変換する。これらの信号は、処理のためにディジタル・サンプルの性質を有している。無線受信器および変換器１６は、チャンネル評価器１８に結合される。チャンネル評価器１８はドップラ拡散評価器２０に接続される。チャンネル評価器１８はまた、既知の記号ブロック２４から既知の記号を受け取る。これらの既知の記号は、チャンネルの評価を決定するために用いられる受信された信号にまた含まれる、パイロット記号または基準記号を有する。これらの既知の記号はメモリの中に記憶される、またはコード発生器の中に局部的に発生される。チャンネル評価器１８はこの受信されたディジタル信号と既知の記号とを相関させ、それによりドップラ拡散評価器２０にチャンネル評価を供給する。ドップラ拡散評価器２０はドップラ拡散を評価し、そしてこのドップラ拡散が信号処理ブロック２２に送られる。信号処理ブロック２２はサンプルされた信号を処理し、それにより情報が引き出される。信号処理ブロック２２はまたチャンネル評価器１８に接続され、それによりドップラ評価の後、チャンネル評価を改良することができる。
【００２１】
図２は、受信装置１０′のブロック線図を示した図である。受信装置１０′は、図１の受信装置に全体的に似ている。理解を容易にするために、同等な素子には同等な番号が付されているが、しかし変更された素子にはプライムの付いた番号で示されている。具体的に言えば、受信装置１０′は、ブロック２４の既知の記号が記号評価器２４′で置き換えられている点で異なっている。この受信装置は、記号が未知である応用に用いられる。チャンネル評価器１８はこれらの記号を評価することを試みる。そして次に、これらの記号は記号評価器２４′の中に記憶される。この評価された記号は、前記で説明したようにチャンネル評価を決定するために、チャンネル評価器１８によって後で用いられる。
【００２２】
ＩＳ−９５として知られている米国のコード分割多重アクセス（ＣＤＭＡ）セルラ・システムでは、送信器はパイロット・コードとして知られる既知の記号のストリームを送信する。このパイロット・コードは、異なる拡散コードを用いた情報を有する他の記号と同じチャンネルの上で同じ時刻に送信される。図３は、このようなＣＤＭＡシステムに用いられる受信装置１０″を示した図である。ＣＤＭＡシステムの場合、チャンネルを評価し、それによりドップラ拡散に直接に用いることができる。この場合、図１の既知の記号ブロック２４が省略される。チャンネル評価器１８は、パイロット・コードおよび加算的に重ね合わされた他のコードを有する受信された信号と既知のパイロット・コードとを相関させ、そして低域フィルタが結果として得られた複素相関にフィルタ作用を行い、チャンネル評価が得られる。受信された信号はまた、復号化されることが要求される情報を有する他のコードと相関される。情報を有するコードとの相関の結果が、同じ遅延に対するパイロット・コード相関の共役によって乗算され、そして多重経路信号をコヒーレントに結合するためにその結果が加算される。
【００２３】
広帯域ＣＤＭＡ（ＷＢＣＤＭＡ（wide band CDMA））システムでは、変調記号時間間隔ははるかに短い。このことにより、はるかに微細な時間分解能でもって多重伝搬経路を分解することが可能である。
【００２４】
移動通信システムでは、平坦なレーリ・チャンネルの中の受信された信号は下記のベースバンド・モデルによって記述することができる。
【００２５】
【数１】
0004446606.tif 000002
【００２６】
ここで、s(t)は下記の式で表される。
【００２７】
【数２】
0004446606.tif 000003
【００２８】
ｄnはｎ番目の送信された記号、p(t)は送信されたパルス、c(t)は下記の平均ゼロで包絡線相関関数を有する複素ガウス過程である。
【００２９】
【数３】
0004446606.tif 000004
【００３０】
σc2は過程c(t)の分散、Ｊ0(x)は次数ゼロの第１種のベッセル関数である。ωd＝ω0ν／ｃ0であり、ω0はキャリア周波数、νは移動体の速度、ｃ0は光速度およびn(t)はスペクトル密度ｇを有する白色雑音である。
【００３１】
基本的なドップラ拡散評価解法に対して２つの従来の方式がある。これらの方式は、受信された信号のスペクトル解析または受信された信号の相関解析である。受信された信号のスペクトル解析の場合、下記の式が得られる。
【００３２】
【数４】
0004446606.tif 000005
【００３３】
ここで、ｒiは下記の式で与えられる。
【００３４】
【数５】
0004446606.tif 000006
【００３５】
ｒi、ｃiおよびｎiはそれぞれ、過程r(t)、c(t)およびn(t)のｉ番目のサンプルである。このアルゴリズムの場合、ドップラ拡散の評価はＦＦＴ係数を使って表すことができる。
【００３６】
【数６】
0004446606.tif 000007
【００３７】
ここで、ｆqはサンプリング周波数である。
【００３８】
受信された信号の相関解析の場合、下記の式が得られる。
【００３９】
【数７】
0004446606.tif 000008
【００４０】
ドップラ拡散の評価は、一定の値ｍ0に対して計算された相関関数
0004446606.tif 000009
を使って表すことができる。
【００４１】
【数８】
0004446606.tif 000010
【００４２】
ここで、Ｋc-1（τ）は関数Ｋc（τ）の逆関数である。
【００４３】
けれども、ベクトル
0004446606.tif 000011
は時間と共に変化し非定常でランダムな離散過程である。従来のスペクトル解析は非定常過程に対しては機能しない。この問題を解決するために、本発明はｄi＝ｅｘｐ（ｊφi）であることを考慮する。すると、下記のアルゴリズムが得られる。
【００４４】
【数９】
0004446606.tif 000012
【００４５】
ここで
0004446606.tif 000013
が記号ｄiの評価であるとして、非定常ベクトル
0004446606.tif 000014
を定常ベクトル
0004446606.tif 000015
に変換する。
【００４６】
実際、非分散チャンネルに対して
0004446606.tif 000016
である。その上、ノイズの統計的特性により、
0004446606.tif 000017
であるために、ｎiおよび
0004446606.tif 000018
は同じである。したがって、下記の式が得られる。
【００４７】
【数１０】
0004446606.tif 000019
【００４８】
下記の移動平均を用いることにより、アルゴリズム（９）を改良することができる。
【００４９】
【数１１】
0004446606.tif 000020
【００５０】
この場合、エラー
0004446606.tif 000021
は縮小され、そして式（１０）はさらに精密になる。ＣＤＭＡシステムに対して、チャンネル係数（さらに正確には、チャンネル係数評価
0004446606.tif 000022
）
が直接に得られる。この場合、
0004446606.tif 000023
の代わりにチャンネル係数評価を処理することができる。
【００５１】
本発明に従い、定常ベクトル
0004446606.tif 000024
の解析に対する問題を縮小するために、非定常ベクトル
0004446606.tif 000025
が変換される。その後、本発明はドップラ拡散を評価するために最適の方式を用いる。この方式は、尤度比の最大値の規準を用いる。この最適評価アルゴリズムは、下記の式を用いることにより得られる。
【００５２】
【数１２】
0004446606.tif 000026
【００５３】
ここで、
0004446606.tif 000027
はベクトル
0004446606.tif 000028
に基づいて形成された尤度比である。
【００５４】
ベクトル
0004446606.tif 000029
は本質的でない定数までの精度でガウス分布を有しているので、尤度比の対数に対して下記の式を書くことができる。
【００５５】
【数１３】
0004446606.tif 000030
【００５６】
ここで、ＧH（ｋ｜ｆd）はドップラ拡散ｆdの一定の値に対応する重み関数である。
【００５７】
本発明に従うドップラ拡散を評価する方法は、受信された信号の定常化と、定常ベクトルのスペクトル解析と、スペクトル評価の相関とを用いる。特に、受信された信号の定常化に対しては下記の式が用いられる。
【００５８】
【数１４】
0004446606.tif 000031
【００５９】
定常ベクトル
0004446606.tif 000032
のスペクトル解析は、下記の高速フーリエ変換（ＦＦＴ（fast Fourier tranform））を用いて行われる。
【００６０】
【数１５】
0004446606.tif 000033
【００６１】
スペクトル評価
0004446606.tif 000034
の周波数領域において、ドップラ拡散ｆdのＬ値に対応するＬ個の重み関数ＧH（ｋ｜ｆd）との相関が実行される。
【００６２】
【数１６】
0004446606.tif 000035
【００６３】
ここで、
0004446606.tif 000036
はドップラ拡散仮定のベクトルである。もし下記の式が成立するならば、ドップラ拡散仮定の１つｆd（ｍ）が選定される。
【００６４】
【数１７】
0004446606.tif 000037
【００６５】
図４は、図１のドップラ拡散評価器２０のブロック線図である。受信された信号の定常化は、乗算器２６と低域フィルタ２８とを用いて実行される。乗算器２６はサンプルされ受信された信号ｒnを受け取り、そしてそれが送信された記号
0004446606.tif 000038
の複素共役と乗算される。無線受信器および変換器ブロック（図１を見よ）１６は、受信された信号ｒnの信号源である。この送信された記号の複素共役の信号源は、チャンネル評価器１８または既知の記号２４であることができる。乗算器２６の出力は低域フィルタ２８を通り、送信された記号の評価の統計的なエラー
0004446606.tif 000039
および帯域外のノイズを縮小する。
【００６６】
フィルタ２８の出力は、第２処理ブロック３０の入力に結合される。ブロック３０は、式（１５）のアルゴリズムを用いて、入ってくる信号
0004446606.tif 000040
のスペクトル密度を評価する。太線で表された出力は、出力データがスペクトル成分
0004446606.tif 000041
であるベクトル・データの形式である。
【００６７】
ブロック３０の出力は、式（１６）を用いて尤度比メトリックスを生ずる、多重チャンネル相関器の形式の第３処理関数３２の入力に供給される。この相関器のそれぞれのチャンネルは、スペクトル評価
0004446606.tif 000042
と待機関数
0004446606.tif 000043
との間の周波数領域における相関を計算する。ｍ番目のチャンネルに対する待機関数
0004446606.tif 000044
は、ドップラ拡散の一定の選択値ｆd（ｍ）に対応する。特に、これらは複数個のドップラ拡散値の仮定を有する。これらの尤度比メトリックスは、式（１６）を用いて相互の間で比較される。これらの出力は、最大関数ブロック３４に送られる。Ｌ個のドップラ拡散仮定の尤度比メトリックスの間の比較に基づいて、多重チャンネル相関器３２は、もしｍ番目のチャンネルが最大出力値を有するならば、ドップラ拡散はｆd（ｍ）であるという決定を生ずる。
【００６８】
ドップラ拡散を評価するために例示されたこの方法は、ＷＣＤＭＡシステムまたはＩＳ−９５システムに用いることができる。それはこれらのシステムでは、既知の記号またはパイロット記号がすべてのスロットにおいてデータ・ストリームの中に周期的に挿入されるからである。
【００６９】
当業者には容易に分かるように、本発明は種々の方法またはデバイスとして実施することができる。したがって本発明は、完全なハードウエア実施例、または完全なソフトウエア実施例、またはハードウエアとソフトウエアとの特徴を組み合わせた実施例の形式を取ることができる。本発明は、図１〜図４に示されたブロック線図に関連して一部分が説明された。示されたブロックの各々およびこれらのブロックの組合わせは、コンピュータのプログラム命令によって実施することができる。段階を表すこれらのプログラム命令がプロセッサに提供されて、マシンを作成することができる。
【００７０】
従って、ブロック線図の中のそれぞれのブロックは、指定された機能を実行するための種々の段階の組合わせの中で、指定された機能を実行するための装置の組合わせを支援する。示されたブロックの各々およびこれらのブロックの組合わせは、指定された機能または段階を実行する特定目的のハードウエアに基づくシステムによって、または特定目的のハードウエアとコンピュータ命令との組合わせによって実施することができる。
【００７１】
したがって本発明に従い、ドップラ拡散評価器は非定常の受信された信号の定常化を用い、そして仮定と比較される相関関数を計算し、それによりドップラ拡散の正確で信頼性の高い評価を決定することができる。
【図面の簡単な説明】
【図１】  本発明に従うドップラ拡散評価器を有する受信装置の１つの実施例のブロック線図。
【図２】  本発明に従うドップラ拡散評価器を有する受信装置の１つの実施例のブロック線図。
【図３】  本発明に従うドップラ拡散評価器を有する受信装置の１つの実施例のブロック線図。
【図４】  本発明に従うドップラ拡散評価器のブロック線図。
【図１】
0004446606.tif 000045
【図２】
0004446606.tif 000046
【図３】
0004446606.tif 000047
【図４】
0004446606.tif 000048